(57)【特許請求の範囲】
【請求項１】
進相コンデンサ（１）と直列リアクトル（２）との直列接続構成をデルタ結線し、単一のケース（３）に収納して成り、進相コンデンサ（１）の上部に、空間部（９２）を隔てて、直列リアクトル（２）を配置すると共に、進相コンデンサ（１）と直列リアクトル（２）とを取付部（５）で固定し、ケース天板に取着された吊手（７）に直列リアクトル（２）を連結することにより、直列リアクトル（２）と進相コンデンサ（１）とが共に吊手（７）から吊下げられるような状態にできることを特徴とするコンデンサ装置。
【発明の詳細な説明】
【０００１】
【発明の属する技術分野】
本発明は、電力設備の力率改善に用いられる進相用のコンデンサ装置に関するものである。
【０００２】
【従来の技術】
従来、進相用のコンデンサ装置は、３相デルタ結線した進相コンデンサをケースに収納し、ケースの外部接続用端子を電力設備に接続して使用されている。負荷にインバータ等、高調波を発生する機器が含まれる場合、高調波を抑制したり、電源投入時の突入電流を抑制するために直列リアクトルが進相コンデンサに接続されている。図４には、直列リアクトルが接続された従来の進相用のコンデンサ装置４０を示している。この装置４０においては、進相コンデンサ４１がデルタ結線され、ケース４２内に収納されている。各直列リアクトル４５は、その一方の端子がコンデンサ装置４０のケース４２に設けられた外部接続用端子４３に接続され、他方の端子が電力設備に接続されている。
【０００３】
【発明が解決しようとする課題】
このように直列リアクトルを付加する必要のある場合、従来は、進相用のコンデンサ装置４０に直列リアクトル部４４を付加する形態で用いられており、既存の電力設備の力率改善のためにこのような進相用のコンデンサ装置４０を設置する場合は、コンデンサ装置４０及び直列リアクトル部４４のそれぞれのために設置スペースを確保する必要がある。またこの場合、外部接続用端子４３と各直列リアクトル４５とを接続するための配線作業が必要である。したがって、既存の電力設備において、新たな設置スペースや付加できるスペースが十分にある場合はともかく、スペースが十分でない場合は、スペースの問題の他、配線作業も困難になる等の問題があった。
【０００４】
本発明は上記問題点を解決するためになされたものであって、その目的は、従来よりもコンパクト化でき、そのため設置スペースを少なくできると共に、配線作業も簡素化できるコンデンサ装置を提供することにある。
【０００５】
【課題を解決するための手段】
そこで請求項１のコンデンサ装置は、進相コンデンサ１と直列リアクトル２との直列接続構成をデルタ結線し、単一のケース３に収納して成り、進相コンデンサ１の上部に、空間部９２を隔てて、直列リアクトル２を配置すると共に、進相コンデンサ１と直列リアクトル２とを取付部５で固定し、ケース天板に取着された吊手７に直列リアクトル２を連結することにより、直列リアクトル２と進相コンデンサ１とが共に吊手７から吊下げられるような状態にできることを特徴としている。
【０００６】
上記請求項１のコンデンサ装置においては、直列リアクトル２がデルタ結線の相電流部に接続されているため、直列リアクトル２に流れる電流は、図４の従来例に示す線電流の（１／３）1/2 と小さくなる。従って直列リアクトル２の巻線として、従来よりも小断面のものを使用できることになり、またそれに付随する配線等も電流容量の小さいものを使用できることになり、これにより装置全体としてコンパクト化、軽量化が図れる。もっともこの場合の直列リアクトル２としては、図４に示す従来のものよりも、リアクタンス、つまり巻数を増加させる必要があるけれども、直列リアクトル２の小型化、軽量化に対しては、小断面化の寄与度の方が大であり、結果として直列リアクトル２も含めた装置全体のコンパクト化をなし得ることになる。また進相コンデンサ１と共に、直列リアクトル２をもケース３内に収納したことで、両者間の配線を短くでき、これによっても装置のコンパクト化を図ることができる。
【０００８】
上記コンデンサ装置によれば、進相コンデンサ１と直列リアクトル２とを上下に配置しているので、装置全体を一段とコンパクトに構成できる。また発熱が大である直列リアクトル２を進相コンデンサ１の上部に配置し固定しているので、進相コンデンサ１は直列リアクトル２の発熱の影響を受けにくくなり、このため進相コンデンサ１の過熱を防止し得る。しかもケース天板に取着された吊手７に直列リアクトル２を連結しているので、吊手７を利用した装置全体の吊下げ搬送時において、ケース底面に進相コンデンサ１及び直列リアクトル２の荷重が作用しないため、ケース構成を簡素化できる。
【０００９】
【発明の実施の形態】
図１に示すように、進相コンデンサ１と直列リアクトル２を直列に接続して直列接続構成とし、直列接続構成の３相分をデルタ結線してケース３に収納している。なお図２、図３に示すように、デルタ結線の各接続点はケース３に取付けられた外部接続用端子４に接続されている。
【００１０】
図２、図３は、本発明のコンデンサ装置のケース内の各部の配置構成を示すものである。ケース３内に進相コンデンサ部１０と直列リアクトル部２０とが上下に配置されている。進相コンデンサ部１０は、図１に示す３相分の進相コンデンサ１を備えており、また直列リアクトル部２０は３相分の直列リアクトル２を備えている。進相コンデンサ部１０と直列リアクトル部２０とは、配線部８において、図１に示すデルタ結線の接続がなされている。配線部８は、進相コンデンサ部１０と直列リアクトル２０の上下配列の側方空間部９１に配置され、外部接続用端子４と接続されている。直列リアクトル部２０は、その下部にある取付部５が進相コンデンサ部１０のコンデンサ取付板または保持板に空間部９２を隔てて固定されており、また直列リアクトル部２０の上部にある取付部６がケース天板に取着した吊手７に連結されている。
【００１１】
上記直列リアクトル部２０は進相コンデンサ部１０よりも上側に配置し、かつ両者間に空間部９２を設けているが、その理由は次の通りである。すなわち、直列リアクトル部２０は進相コンデンサ部１０よりも発熱が大であるので、進相コンデンサ部１０への影響を少なくするため、直列リアクトル２０を上側に配置すると共に、空間部９２を設けて放熱できるようにしているのである。なお直列リアクトル部２０と進相コンデンサ部１０とが共にケース天板から吊下げられているような状態にできるのでケース底面を開放しておいてもよい。
【００１２】
上記したコンデンサ装置においては、直列リアクトル２と進相コンデンサ１とを予め接続してあるので、設置現場における現地配線工事が不要となり、そのため設置作業の省力化が図れる。また直列リアクトル２がデルタ結線の相電流部に接続されているため、直列リアクトル２に流れる電流は、図４の従来例に示す線電流の（１／３）1/2 と小さくなる。従って直列リアクトル２の巻線として、従来よりも小断面のものを使用できることになり、またそれに付随する配線等も電流容量の小さいものを使用できることになり、これにより装置全体としてコンパクト化、軽量化が図れる。もっともこの場合の直列リアクトル２としては、図４に示す従来のものよりも、リアクタンス、つまり巻数を増加させる必要があるけれども、直列リアクトル２の小型化、軽量化に対しては、小断面化の寄与度の方が大であり、結果として直列リアクトル２も含めた装置全体のコンパクト化をなし得ることになる。また進相コンデンサ１と共に、直列リアクトル２をもケース３内に収納したことで、両者間の配線を短くでき、これによっても装置のコンパクト化を図ることができる。そしてこのように装置全体のコンパクト化が図れることから、電力設備内のスペースを効率的に利用することが可能になり、このようにスペースを確保できることから配線作業を含めた設置作業を一段と効率良く行うことが可能になる。
【００１３】
また上記コンデンサ装置によれば、進相コンデンサ１と直列リアクトル２とを上下に配置しているので、装置全体を一段とコンパクトに構成できる。また発熱が大である直列リアクトル２を進相コンデンサ１の上部に配置し固定しているので、進相コンデンサ１は直列リアクトル２の発熱の影響を受けにくくなり、このため進相コンデンサ１の過熱を防止し得る。しかもケース天板に取着された吊手７に直列リアクトル２を連結しているので、吊手７を利用した装置全体の吊下げ搬送時において、ケース底面に進相コンデンサ１及び直列リアクトル２の荷重が作用しないため、ケース構成を簡素化できる。
【００１４】
【発明の効果】
上記請求項１のコンデンサ装置においては、直列リアクトルと進相コンデンサとを予め接続してあるので、設置現場における現地配線工事が不要となり、そのため設置作業の省力化が図れる。また、装置全体のコンパクト化が図れることから、電力設備内のスペースを効率的に利用することが可能になり、この結果、充分な作業スペースを確保できるので、配線作業を含めた設置作業を一段と効率良く行うことが可能になるとの利点が得られる。
【００１５】
また上記コンデンサ装置においては、一段とコンパクトに構成し得るので上記利点を確実に得られることに加えて、さらに進相コンデンサの過熱防止による信頼性の向上、及びケース簡素化によるコストダウン等の利点が得られる。
【図面の簡単な説明】
【図１】この発明のコンデンサ装置の一実施形態を示す回路説明図である。
【図２】上記実施形態におけるケース内の各部配置構成を示す正面視略図である。
【図３】上記実施形態におけるケース内の各部配置構成を示す側面視略図である。
【図４】従来例を示す回路説明図である。
【符号の説明】
１  進相コンデンサ
２  直列リアクトル
３  ケース
７  吊手
【図１】
0003793650.tif 000002
【図２】
0003793650.tif 000003
【図３】
0003793650.tif 000004
【図４】
0003793650.tif 000005